(57)【要約】【課題】室内側へ突出する操作ハンドルを用いることなく開量調整装置と錠構造を同時に切換え操作できる、スリムで意匠性に優れた窓用の開閉装置を提供する。【解決手段】開量調整装置４と、錠構造５と、これら両者を切換え操作する操作構造６を備えている。操作構造６は、主ケース２７と、主ケース２７で反転操作可能に支持される切換レバー２８と、切換レバー２８で往復スライド操作されるスライダー２９を備えている。開量調整装置４および錠構造５は、それぞれスライダー２９と連動可能に連結されている。切換レバー２８を第１位置と第２位置に反転操作し、切換レバー２８を第２位置から第３位置へスライド操作すると、開量調整装置４および錠構造５を閉じロック状態と、換気可能状態と、全開放可能状態に切換えられる。第１位置から第３位置の各位置における切換レバー２８は主ケース２７内に収容される。【選択図】図１
2018111974.tif 000002
【特許請求の範囲】
【請求項１】
窓（２）と開口枠（１）との間に設けられて、窓（２）を換気開放位置に位置保持する開量調整装置（４）と、閉じ操作された窓（２）を開放不能に錠止する錠構造（５）と、開量調整装置（４）および錠構造（５）を切換え操作する操作構造（６）を備えており、
操作構造（６）は、窓枠（２ａ）に装着される主ケース（２７）と、主ケース（２７）に収容され、該ケース（２７）で反転揺動自在に支持されて、第１位置と第２位置の間で反転操作されるとともに、主ケース（２７）でスライド自在に案内支持され、第２位置と第３位置の間で往復スライド操作される切換レバー（２８）と、主ケース（２７）でスライド自在に案内支持されて、切換レバー（２８）で往復スライド操作されるスライダー（２９）を備えており、
開量調整装置（４）および錠構造（５）は、それぞれスライダー（２９）に対して連動可能に連結されており、
切換レバー（２８）を第１位置と第２位置の間で反転操作することにより、開量調整装置（４）および錠構造（５）を閉じロック状態と、換気可能状態に切換えることができ、
切換レバー（２８）を第２位置と第３位置の間でスライド操作することにより、開量調整装置（４）および錠構造（５）を換気可能状態と、全開放可能状態に切換えることができることを特徴とする窓用の開閉装置。
【請求項２】
切換レバー（２８）の揺動基端に揺動軸（３９）とスライド軸（４０）が隣接配置されて、揺動軸（３９）およびスライド軸（４０）が主ケース（２７）の軸支部（３４）で支持されており、
軸支部（３４）に、揺動軸（３９）とスライド軸（４０）をスライド案内するガイド溝（４９）と、ガイド溝（４９）の中途部から分岐形成されて、スライド軸（４０）を揺動案内する円弧溝（５０）が形成されており、
切換レバー（２８）が第１位置に操作された状態において、揺動軸（３９）がガイド溝（４９）の一端に位置し、スライド軸（４０）が円弧溝（５０）の溝端で受止められており、
切換レバー（２８）が第２位置に操作された状態において、揺動軸（３９）がガイド溝（４９）の一端に位置し、スライド軸（４０）がガイド溝（４９）の中途部に位置して円弧溝（５０）の分岐口に臨んでおり、
切換レバー（２８）が第３位置に操作された状態において、揺動軸（３９）およびスライド軸（４０）がガイド溝（４９）内に位置して、スライド軸（４０）がガイド溝（４９）の他端で受止められている請求項１に記載の窓用の開閉装置。
【請求項３】
主ケース（２７）は、窓枠（２ａ）に締結される取付けフランジ（３１）と、取付けフランジ（３１）に凹み形成される一対のレバー収容部（３２・３３）を備えており、
切換レバー（２８）が第１位置と第２位置のいずれか一方に切換えられた状態において、切換レバー（２８）を収容していない側のレバー収容部（３２・３３）が、窓（２）を開閉操作する操作凹部を兼ねている請求項１、または２に記載の窓用の開閉装置。
【請求項４】
切換レバー（２８）を収容するレバー収容部（３２・３３）の内部に、第１位置および第２位置に切換え操作された切換レバー（２８）を受け止める座壁（２６ａ・２６ｂ）が形成されており、
第２位置において、主ケース（２７）の外に臨む側の切換レバー（２８）の表面に切換レバー（２８）をスライド操作する指掛片（３８）が突設されており、
切換レバー（２８）が第１位置と第２位置に切換えられた状態において、切換レバー（２８）の表面がレバー収容部（３２・３３）の開口面と面一になっており、
切換レバー（２８）が第３位置にスライド操作された状態において、切換レバー（２８）の表面がレバー収容部（３３）内に沈込む向きに、ガイド溝（４９）が傾斜させてある請求項３記載の窓用の開閉装置。
【請求項５】
切換レバー（２８）が第１位置と第２位置の間で反転揺動する状態において、揺動軸（３９）をスライド移動不能に位置保持する軸保持レバー（５１）が軸支部（３４）に設けられており、
軸保持レバー（５１）は、揺動軸（３９）を受止める軸保持部（５４）を備えており、
軸保持レバー（５１）は、ガイド溝（４９）の一端に位置する揺動軸（３９）を軸保持部（５４）で受止めるスライド阻止姿勢と、軸保持部（５４）がガイド溝（４９）の外に退避するスライド許可姿勢の間で変位可能に支持されて、規制ばね（５２）でスライド阻止姿勢に向かって付勢されており、
スライド軸（４０）が円弧溝（５０）からガイド溝（４９）内へ移行する間に、スライド軸（４０）が規制ばね（５２）の付勢力に抗して軸保持レバー（５１）をスライド許可姿勢に切換操作する請求項２から４のいずれかひとつに記載の窓用の開閉装置。
【請求項６】
主ケース（２７）の軸支部（３４）と切換レバー（２８）の対向面間に、切換レバー（２８）を第１位置と第２位置と第３位置において位置保持する第１クリック機構（５７）が設けられており、
第１クリック機構（５７）が、軸支部（３４）と切換レバー（２８）のいずれか一方に設けられるクリック凹部（５８・５９・６０）と、他方に設けられてクリック凹部（５８・５９・６０）に係脱する係合体（６１）と、係合体（６１）をクリック凹部（５８・５９・６０）に向かって係合付勢するクリックばね（６２）で構成してある請求項２から５のいずれかひとつに記載の窓用の開閉装置。
【請求項７】
主ケース（２７）の取付けフランジ（３１）とスライダー（２９）の対向面の間に、切換レバー（２８）が第２位置から第３位置へスライド操作されるのを阻止するセーフティ構造（３０）が設けられており、
セーフティ構造（３０）は、スライダー（２９）に同行して往復移動する可動軸体（６５）と、取付けフランジ（３１）の内面に固定した第２ケース（６６）で変位可能に支持される切換具（６７）と、切換具（６７）を主ケース（２７）の外から切換え操作する操作具（６８）を備えており、
切換具（６７）は、可動軸体（６５）のスライド移動を阻止するストッパー（７８）を備えていて、ストッパー（７８）が可動軸体（６５）のスライド移動を阻止する安全確保姿勢と、ストッパー（７８）が可動軸体（６５）のスライド軌跡の外へ退避する安全解除姿勢の間で切換え操作可能であり、
切換具（６７）が操作具（６８）で安全解除姿勢に切換えられた状態において、切換レバー（２８）を第２位置から第３位置にスライド操作して窓（２）を全開放できる請求項３、または４に記載の窓用の開閉装置。
【請求項８】
切換具（６７）が、第２ケース（６６）の軸受ボス（７０）で回動可能に支持される有底丸筒状の軸部（７７）と、軸部（７７）の底壁周縁から軸心方向へ突設されるストッパー（７８）と、軸部（７７）の底壁の対向位置において径方向へ突設される位置決め片（７９）を備えており、
軸受ボス（７０）と軸部（７７）の間に、切換具（６７）を安全確保姿勢と安全解除姿勢において位置保持する第２クリック機構が設けられており、
第２クリック機構が、軸部（７７）の対向面に形成した平坦面（８５）と、軸受ボス（７０）に形成されて、平坦面（８５）を位置保持する弾性壁（８６）で構成してある請求項７に記載の窓用の開閉装置。
【請求項９】
窓（２）を閉じた状態において開口枠（１）で受止められる袖壁（８）が、窓枠（２ａ）の屋内面に突設されており、
袖壁（８）は、窓（２）を閉じた状態において開口枠（１）に装着したパッキン（９）に密着するシール壁（８ａ）と、枠ガイド溝（９９）を区画するリブ壁（８ｂ）を一体に備えており、
袖壁（８）およびリブ壁（８ｂ）に形成した装着部（３６）に、主ケース（２７）の取付けフランジ（３１）を除くケース構造が嵌込み装着されて、その周囲が窓枠（２ａ）に固定した保護カバー（４７）で覆われており、
開量調整装置（４）および錠構造（５）とスライダー（２９）を連結するスライド枠（９７）が、前記枠ガイド溝（９９）で往復スライド自在に案内支持してある請求項１から８のいずれかひとつに記載の窓用の開閉装置。
【請求項１０】
開量調整装置（４）の牽制アーム（１０）に、窓（２）が換気開放される際に連結ピン（１１）を係合案内する牽制溝（１５）と、牽制溝（１５）の出入り口の近傍に分岐形成されるピン溝（１６）が形成されており、
ピン溝（１６）は、切換レバー（２８）が第２位置から第１位置へ切換え操作される状態において連結ピン（１１）と係合しており、
錠構造（５）の固定金具（１９）に、可動金具（２０）の出入りを許す受入開口（２３）と、切換レバー（２８）が第１位置に切換え操作された状態において可動金具（２０）と係合する錠止溝（２４）が形成されており、
ピン溝（１６）および錠止溝（２４）は屋内側へ向かって傾斜されていて、切換レバー（２８）が第２位置から第１位置に切換えられる状態において、窓（２）をパッキン（９）の弾性力に抗して開口枠（１）側へ引寄せ操作できる請求項９に記載の窓用の開閉装置。
【請求項１１】
開口枠（１）の屋外側に、開量調整装置（４）および錠構造（５）を閉じロック状態から全開放可能状態に切換える非常開放構造（７）が設けられており、
非常開放構造（７）は、開口枠（１）に固定されるベース枠（１０３）と、ベース枠（１０３）で揺動可能に軸支される非常開放レバー（１０４）と、ベース枠（１０３）で往復スライド可能に案内支持されるスライド枠（１０５）と、非常開放レバー（１０４）とスライド枠（１０５）を連結する連動リンク（１０６）と、スライド枠（１０５）に固定される強制開放ロッド（１０７）を備えており、
開口枠（１）の側に配置した固定金具（１９）と、牽制アーム（１０）のアームピン（１２）を支持するブラケット（１０８）が、それぞれ強制開放ロッド（１０７）に固定されており、
非常開放レバー（１０４）を待機位置から強制開放位置へ揺動操作することにより、強制開放ロッド（１０７）で固定金具（１９）を移動操作して可動金具（２０）から分離させ、同時に、強制開放ロッド（１０７）でブラケット（１０８）および牽制アーム（１０）を移動操作して連結ピン（１１）から分離させて、窓（２）を全開放操作できる請求項１から１０のいずれかひとつに記載の窓用の開閉装置。
【発明の詳細な説明】
【技術分野】
【０００１】
本発明は、揺動開閉可能な片開き窓、縦すべり出し窓、横すべり出し窓、縦軸回転窓、横軸回転窓などに適用されて、窓を換気開放位置に位置保持でき、必要時には窓を全開し、あるいは全閉位置に固定できる窓用の開閉装置に関する。
【背景技術】
【０００２】
この種の開閉装置に関して、本出願人は特許文献１に係る換気ステーを先に提案している。そこでは、窓の開量を規制する牽制アームと、開口枠に設けられて牽制アームを待機位置と作動位置に切換え操作する切換え構造と、切換え構造を操作する室内側の切換えノブと、開口枠の屋外側に設けられる解除ノブなどで換気ステーを構成している。切換え構造は、開口枠に固定されるベースと、ベースで上下スライド自在に案内支持されるスライダーと、スライダーを切換え操作する切換えノブおよび解除ノブなどで構成してある。窓を閉じた状態で切換えノブを押上げて作動位置に切換えると、牽制アームに設けた連繋溝が窓に固定した掛止ピンと係合する。この状態で窓を開放すると、牽制アームが窓に同行して屋外側へ揺動し、窓を換気位置において位置保持する。窓を全開放する場合には、窓を閉じた状態で切換えノブを押下げて待機位置に切換え、牽制アームの連繋溝と掛止ピンの係合状態を解除する。非常時には屋外側から解除ノブを操作することで、牽制アームの連繋溝と掛止ピンの係合状態を解除して窓を全開放できる。
【０００３】
同様の開閉装置は、特許文献２に係る建具にも開示されている。そこでは、面材（窓）を施解錠する錠装置と、面材の開放角度を規制する全半開装置と、非常時に屋外側から面材を開放する外部開放装置などで建具を構成している。錠装置はグレモン錠からなり、全半開装置の操作ハンドルを回動操作することで、施錠状態と解錠状態に切換えることができる。グレモン錠が解錠された状態では、全半開装置の角度規制アームに設けた被係合ピンが、開口枠に設けた受け部材の案内溝と係合する。この状態で面材を開放すると、角度規制アームが面材に同行して屋外側へ揺動し、面材を換気位置において位置保持する。外部開放装置の屋外ハンドルを操作すると、グレモン錠が解錠され、同時に被係合ピンと受け部材の案内溝の係合が解除されるので、面材を全開放操作できる。
【先行技術文献】
【特許文献】
【０００４】
【特許文献１】特開２００１−２８８９４９号公報（段落番号００１６、図３）
【特許文献２】特許第５０３１７０６号公報（段落番号００１３〜００２１、図５）
【発明の概要】
【発明が解決しようとする課題】
【０００５】
特許文献１の換気ステーによれば、切換えノブまたは解除ノブを切換え操作するだけで、牽制アームの連繋溝と掛止ピンの係合状態を解除して、窓を全開放することができる。しかし、切換えノブが開口枠の室内側に常に露出しているので、被服の一部が引っ掛かりやすいうえ、室内の雰囲気を損ねてしまうことがある。また、防犯のためには、開量調整装置とは別に何らかの錠構造を設ける必要があるので、窓の全体構造と操作手順が煩雑になるのを避けられない。
【０００６】
その点、特許文献２の建具によれば、操作ハンドルまたは屋外ハンドルを操作することで、グレモン錠を解錠でき、同時に角度規制アームの被係合ピンを受け部材の案内溝と係合して、面材を換気位置において位置保持できる。しかし、Ｌ字状の大形の操作ハンドルが面材の室内側に常に突出するので、被服の一部が引っ掛かりやすく、室内の雰囲気を損ねやすい。サイズが大きな窓の場合には、操作ハンドルおよび屋外ハンドルを大きくしてハンドル操作力を軽減する必要があり、室内の雰囲気が操作ハンドルで損なわれやすい。とくに、カーテンウォール構造の建物においては、窓（面材）の周辺構造が単純化されていて、飾り気や無駄のないシンプルな印象を醸しているが、こうした印象が大形の操作ハンドルで損なわれてしまう。建具の構成部品点数が多く、全体コストが嵩む不利もある。
【０００７】
本発明の目的は、室内側へ突出する操作ハンドルを用いることなく開量調整装置と錠構造を同時に切換え操作でき、従って、室内の雰囲気を損ねることのないスリムで意匠性に優れた窓用の開閉装置を提供することにある。
本発明の目的は、非常時には屋外側のハンドルを操作して、錠構造と開量調整装置を全開放可能状態に切換え操作して窓を全開放操作できる窓用の開閉装置を提供することにある。
【課題を解決するための手段】
【０００８】
本発明に係る窓用の開閉装置は、窓２と開口枠１との間に設けられて、窓２を換気開放位置に位置保持する開量調整装置４と、閉じ操作された窓２を開放不能に錠止する錠構造５と、開量調整装置４および錠構造５を切換え操作する操作構造６を備えている。図３に示すように操作構造６は、窓枠２ａに装着される主ケース２７と、主ケース２７に収容され、該ケース２７で反転揺動自在に支持されて、第１位置と第２位置の間で反転操作されるとともに、主ケース２７でスライド自在に案内支持されて、第２位置と第３位置の間で往復スライド操作される切換レバー２８と、主ケース２７でスライド自在に案内支持されて、切換レバー２８で往復スライド操作されるスライダー２９を備えている。開量調整装置４および錠構造５は、それぞれスライダー２９に対して連動可能に連結されている。切換レバー２８を第１位置と第２位置の間で反転操作することにより、開量調整装置４および錠構造５を閉じロック状態と、換気可能状態に切換えることができる。また、切換レバー２８を第２位置と第３位置の間でスライド操作することにより、開量調整装置４および錠構造５を換気可能状態と、全開放可能状態に切換えることができることを特徴とする。
【０００９】
図１に示すように、切換レバー２８の揺動基端に揺動軸３９とスライド軸４０が隣接配置されて、揺動軸３９およびスライド軸４０が主ケース２７の軸支部３４で支持されている。軸支部３４に、揺動軸３９とスライド軸４０をスライド案内するガイド溝４９と、ガイド溝４９の中途部から分岐形成されて、スライド軸４０を揺動案内する円弧溝５０が形成されている。切換レバー２８が第１位置に操作された状態において、揺動軸３９がガイド溝４９の一端に位置し、スライド軸４０が円弧溝５０の溝端で受止められている。切換レバー２８が第２位置に操作された状態において、揺動軸３９がガイド溝４９の一端に位置し、スライド軸４０がガイド溝４９の中途部に位置して円弧溝５０の分岐口に臨んでいる。切換レバー２８が第３位置に操作された状態において、揺動軸３９およびスライド軸４０がガイド溝４９内に位置して、スライド軸４０がガイド溝４９の他端で受止められている。
【００１０】
主ケース２７は、窓枠２ａに締結される取付けフランジ３１と、取付けフランジ３１に凹み形成される一対のレバー収容部３２・３３を備えている。切換レバー２８が第１位置と第２位置のいずれか一方に切換えられた状態において、切換レバー２８を収容していない側のレバー収容部３２・３３が、窓２を開閉操作する操作凹部を兼ねている。
【００１１】
切換レバー２８を収容するレバー収容部３２・３３の内部に、第１位置および第２位置に切換え操作された切換レバー２８を受け止める座壁２６ａ・２６ｂが形成されている。第２位置において、主ケース２７の外に臨む側の切換レバー２８の表面に切換レバー２８をスライド操作する指掛片３８が突設してある。切換レバー２８が第１位置と第２位置に切換えられた状態において、切換レバー２８の表面はレバー収容部３２・３３の開口面と面一になる。切換レバー２８が第３位置にスライド操作された状態において、切換レバー２８の表面がレバー収容部３３内に沈込む向きにガイド溝４９が傾斜させてある。
【００１２】
切換レバー２８が第１位置と第２位置の間で反転揺動する状態において、揺動軸３９をスライド移動不能に位置保持する軸保持レバー５１が軸支部３４に設けられている。図１０に示すように、軸保持レバー５１は、揺動軸３９を受止める軸保持部５４を備えている。軸保持レバー５１は、ガイド溝４９の一端に位置する揺動軸３９を軸保持部５４で受止めるスライド阻止姿勢と、軸保持部５４がガイド溝４９の外に退避するスライド許可姿勢の間で変位可能に支持されて、規制ばね５２でスライド阻止姿勢に向かって付勢されている。図１１に示すように、スライド軸４０が円弧溝５０からガイド溝４９内へ移行する間に、スライド軸４０が規制ばね５２の付勢力に抗して軸保持レバー５１をスライド許可姿勢に切換操作する。
【００１３】
主ケース２７の軸支部３４と切換レバー２８の対向面間に、切換レバー２８を第１位置と第２位置と第３位置において位置保持する第１クリック機構５７が設けられている。図１３に示すように、第１クリック機構５７は、軸支部３４と切換レバー２８のいずれか一方に設けられるクリック凹部５８・５９・６０と、他方に設けられてクリック凹部５８・５９・６０に係脱する係合体６１と、係合体６１をクリック凹部５８・５９・６０に向かって係合付勢するクリックばね６２で構成してある。
【００１４】
主ケース２７の取付けフランジ３１とスライダー２９の対向面の間に、切換レバー２８が第２位置から第３位置へスライド操作されるのを阻止するセーフティ構造３０が設けられている。図９および図１４に示すように、セーフティ構造３０は、スライダー２９に同行して往復移動する可動軸体６５と、取付けフランジ３１の内面に固定した第２ケース６６で変位可能に支持される切換具６７と、切換具６７を主ケース２７の外から切換え操作する操作具６８を備えている。切換具６７は、可動軸体６５のスライド移動を阻止するストッパー７８を備えていて、ストッパー７８が可動軸体６５のスライド移動を阻止する安全確保姿勢と、ストッパー７８が可動軸体６５のスライド軌跡の外へ退避する安全解除姿勢の間で切換え操作可能である。切換具６７が操作具６８で安全解除姿勢に切換えられた状態において、切換レバー２８を第２位置から第３位置にスライド操作して窓２を全開放できる。なお、切換具６７は、切換レバー２８が第１位置、または第２位置に切換った状態において安全解除姿勢に切換えることができる。
【００１５】
切換具６７は、第２ケース６６の軸受ボス７０で回動可能に支持される有底丸筒状の軸部７７と、軸部７７の底壁周縁から軸心方向へ突設されるストッパー７８と、軸部７７の底壁の対向位置において径方向へ突設される位置決め片７９を備えている。軸受ボス７０と軸部７７の間に、切換具６７を安全確保姿勢と安全解除姿勢において位置保持する第２クリック機構が設けてある。図１５に示すように、第２クリック機構は、軸部７７の対向面に形成した平坦面８５と、軸受ボス７０に形成されて、平坦面８５を位置保持する弾性壁８６で構成してある。
【００１６】
窓２を閉じた状態において開口枠１で受止められる袖壁８が、窓枠２ａの屋内面に突設されている（図６参照）。袖壁８は、窓２を閉じた状態において開口枠１に装着したパッキン９に密着するシール壁８ａと、枠ガイド溝９９を区画するリブ壁８ｂを一体に備えている。図１３に示すように、袖壁８およびリブ壁８ｂに形成した装着部３６に、主ケース２７の取付けフランジ３１を除くケース構造が嵌込み装着されて、その周囲が窓枠２ａに固定した保護カバー４７で覆われている。開量調整装置４および錠構造５とスライダー２９を連結するスライド枠９７が、前記枠ガイド溝９９で往復スライド自在に案内支持してある。
【００１７】
図４および図５に示すように、開量調整装置４の牽制アーム１０に、窓２が換気開放される際に連結ピン１１を係合案内する牽制溝１５と、牽制溝１５の出入り口の近傍に分岐形成されるピン溝１６が形成されている。ピン溝１６は、切換レバー２８が第２位置から第１位置へ切換え操作される状態において連結ピン１１と係合している。錠構造５の固定金具１９に、可動金具２０の出入りを許す受入開口２３と、切換レバー２８が第１位置に切換え操作された状態において可動金具２０と係合する錠止溝２４が形成されている。ピン溝１６および錠止溝２４は屋内側へ向かって傾斜されていて（図１７参照）、切換レバー２８が第２位置から第１位置に切換えられる状態において、窓２をパッキン９の弾性力に抗して開口枠１側へ引寄せ操作できる。
【００１８】
開口枠１の屋外側に、開量調整装置４および錠構造５を閉じロック状態から全開放可能状態に切換える非常開放構造７が設けられている。図２０に示すように、非常開放構造７は、開口枠１に固定されるベース枠１０３と、ベース枠１０３で揺動可能に軸支される非常開放レバー１０４と、ベース枠１０３で往復スライド可能に案内支持されるスライド枠１０５と、非常開放レバー１０４とスライド枠１０５を連結する連動リンク１０６と、スライド枠１０５に固定される強制開放ロッド１０７を備えている。開口枠１の側に配置した固定金具１９と、牽制アーム１０のアームピン１２を支持するブラケット１０８が、それぞれ強制開放ロッド１０７に固定されている。非常開放レバー１０４を待機位置から強制開放位置へ揺動操作することにより、強制開放ロッド１０７で固定金具１９を移動操作して可動金具２０から分離させ、同時に、強制開放ロッド１０７でブラケット１０８および牽制アーム１０を移動操作して連結ピン１１から分離させて窓２を全開放操作できる。
【発明の効果】
【００１９】
本発明に係る窓用の開閉装置においては、開量調整装置４と錠構造５の両者を操作構造６で切換え操作できるようにした。操作構造６は、主ケース２７と、主ケース２７に収容され、該ケース２７で反転揺動自在に支持されるとともに、主ケース２７でスライド自在に案内支持される切換レバー２８と、切換レバー２８で往復スライド操作されるスライダー２９を備えるようにした。こうした開閉装置によれば、切換レバー２８を第１位置と第２位置の間で反転操作することで、開量調整装置４および錠構造５を閉じロック状態と、換気可能状態に切換えることができる。また、切換レバー２８を第２位置と第３位置の間でスライド操作することにより、開量調整装置４および錠構造５を換気可能状態と、全開放可能状態に切換えることができる
【００２０】
上記のように反転揺動操作され、あるいは往復スライド操作される切換レバー２８を操作源とする操作構造６によれば、各切換え位置における切換レバー２８が室内側に突出することはない。従って、被服の一部が切換レバー２８に引っ掛かることを解消でき、さらに室内の雰囲気が切換レバー２８によって損なわれることも解消して、スリムで意匠性に優れた窓用の開閉装置を提供できる。とくに、カーテンウォール構造の建物においては、窓２の周辺構造が単純化されていて、飾り気や無駄のないシンプルな印象を醸しているが、こうした印象にマッチした窓用の開閉装置を提供できる。また、切換レバー２８を反転揺動操作するときの揺動端が第１位置と第２位置となり、さらに切換レバー２８をスライド操作するときのスライド端が第２位置と第３位置となるので、切換レバー２８が間違って切換え操作される余地がなく、操作構造６の使い勝手を向上できる利点もある。
【００２１】
切換レバー２８の揺動基端に揺動軸３９とスライド軸４０を設け、これらの軸３９・４０を軸支部３４に設けたガイド溝４９に沿って往復スライドできるようにした。さらに、ガイド溝４９の中途部に分岐形成した円弧溝５０でスライド軸４０を揺動案内できるようにした。こうした操作構造６によれば、切換レバー２８が揺動軸３９の周りに反転操作されるとき、スライド軸４０を円弧溝５０で移行案内しながら確動的に往復揺動させて、第１位置と第２位置に切換えることができる。また、揺動軸３９とスライド軸４０をガイド溝４９に沿って往復スライドさせて、第２位置と第３位置に切換えることができる。従って、回動操作されるＬ字状の操作ハンドルを操作源とする従来装置に比べて、開量調整装置４および錠構造５を切換レバー２８で速やかに、しかもワンタッチ動作で簡単に切換えることができる。
【００２２】
また、上記の操作構造６によれば、第１位置における切換レバー２８は、揺動軸３９がガイド溝４９の一端に位置し、スライド軸４０が円弧溝５０の溝端で受止められているので、第２位置へ向かって反転操作する向きにしか動かせない。同様に、第２位置における切換レバー２８は、揺動軸３９がガイド溝４９の一端に位置し、スライド軸４０がガイド溝４９の中途部で受け止められているので、第１位置へ向かって反転操作する向きにしか動かせない。さらに、第３位置における切換レバー２８は、揺動軸３９およびスライド軸４０がガイド溝４９内に位置して、スライド軸４０がガイド溝４９の他端で受止められているので、第２位置へ向かって復帰スライドする向きにしか動かせない。従って、切換レバー２８が各切換え位置において誤操作されるのを解消して、操作構造６の使い勝手を向上できる。
【００２３】
主ケース２７に一対のレバー収容部３２・３３が凹み形成してあると、切換レバー２８が第１位置と第２位置の間で切換え操作された状態において、いずれか一方のレバー収容部３２・３３の内部に切換レバー２８を収容できる。このように切換レバー２８をいずれか一方のレバー収容部３２・３３に収容した状態では、切換レバー２８を収容していない側のレバー収容部３２・３３が、窓２を開閉操作するための操作凹部を兼ねることができるので、換気可能状態における窓２の開閉を適確に行える。また、レバー収容部３２・３３の内部に座壁２６ａ・２６ｂが形成してあると、第１位置および第２位置に切換え操作された切換レバー２８を座壁２６ａ・２６ｂで受止めて、切換レバー２８を常に一定の姿勢でレバー収容部３２・３３に収容できる。さらに、第２位置において、主ケース２７の外に臨む側の切換レバー２８の表面に指掛片３８が突設してあるので、指掛片３８に指先をあてがって切換レバー２８を押引き操作することにより、切換レバー２８を第２位置と第３位置の間で確実にスライド操作できる。第１位置と第２位置における切換レバー２８の表面は、レバー収容部３２・３３の開口面と面一になるようにした。また、切換レバー２８が第３位置にスライド操作された状態においては、切換レバー２８の表面がレバー収容部３３内に沈込む向きに、ガイド溝４９を傾斜させるようにした。こうした操作構造６によれば、指掛片３８を斜めに押引き操作すればよいので、ガイド溝４９がレバー収容部３２・３３の開口面と平行に形成してある場合に比べて、切換レバー２８を第２位置と第３位置の間で適確にスライド操作することができる。
【００２４】
主ケース２７の軸支部３４に、スライド阻止姿勢と、スライド許可姿勢の間で変位可能に支持される軸保持レバー５１を設け、同レバー５１を規制ばね５２でスライド阻止姿勢に向かって付勢するようにした。こうした操作構造６によれば、切換レバー２８が第１位置と第２位置の間で反転揺動する状態において、揺動軸３９の周面を軸保持部５４で移動不能に受止め保持できるので、切換レバー２８を常に安定した状態で円滑に反転揺動操作できる。また、切換レバー２８が第１位置から第２位置へ切換えられる間に、軸保持レバー５１がスライド軸４０で規制ばね５２の付勢力に抗してスライド許可姿勢に切換操作されるようにした。このように、切換レバー２８の反転揺動動作を利用して、軸保持レバー５１をスライド軸４０でスライド許可姿勢に切換操作すると、別途軸保持レバー５１を切換え操作するための構造を設ける必要がないので、その分だけ揺動軸３９の周辺構造を簡素化できる。また、ユーザーは、軸保持レバー５１の存在を意識する必要もなく、切換レバー２８を単に反転揺動操作すればよいので、操作構造６の使い勝手を向上できる。
【００２５】
軸支部３４と切換レバー２８の間に、切換レバー２８を第１位置と第２位置と第３位置において位置保持する第１クリック機構５７を設けるようにした。第１クリック機構５７は、３個のクリック凹部５８・５９・６０と、クリック凹部５８・５９・６０に係脱する係合体６１と、係合体６１を係合付勢するクリックばね６２で構成するようにした。こうした操作構造６によれば、切換レバー２８を第１位置と第２位置と第３位置において揺動不能、およびスライド不能に位置保持できるので、切換レバー２８が外部の振動や衝撃を受けて切換るのを確実に防止できる。また、係合体６１が各クリック凹部５８・５９・６０に落ち込み係合するときのクリック感を確認することで、切換レバー２８が確実に切換えられたことを明確に判定できるので、切換レバー２８が不完全な切換え状態のままで放置されるのを解消できる。
【００２６】
換気可能状態のままで、切換レバー２８が誤って第２位置から第３位置へ押込み操作されると、開量調整装置４および錠構造５が全開放可能状態に切換わって、窓２がいきなり全開放されるおそれがある。こうした安全上の問題を解消するために、取付けフランジ３１とスライダー２９の対向面の間に、切換レバー２８が第２位置から第３位置へスライド操作されるのを阻止するセーフティ構造３０を設けている。セーフティ構造３０は、スライダー２９と同行移動する可動軸体６５と、第２ケース６６で変位可能に支持される切換具６７と、切換具６７を主ケース２７の外から切換え操作する操作具６８などで構成した。切換具６７は、可動軸体６５のスライド移動を阻止するストッパー７８を備えていて、ストッパー７８が可動軸体６５のスライド移動を阻止する安全確保姿勢と、ストッパー７８が可動軸体６５のスライド軌跡の外へ退避する安全解除姿勢の間で切換え操作することができる。こうした操作構造６によれば、切換具６７が操作具６８で安全解除姿勢に切換えられた状態において、切換レバー２８を第２位置から第３位置にスライド操作して窓２を全開放できる。従って、窓２が誤っていきなり全開放されるのを確実に防止して開閉装置の安全性を向上できる。
【００２７】
上記の切換具６７は、軸部７７と、ストッパー７８と、位置決め片７９を備えるようにし、軸受ボス７０と軸部７７の間に、切換具６７を安全確保姿勢と安全解除姿勢において位置保持する第２クリック機構を設けるようにした。第２クリック機構は、軸部７７に形成した平坦面８５と、軸受ボス７０に形成した弾性壁８６で構成した。安全確保姿勢、または安全解除姿勢に切換えられた切換具６７は、位置決め片７９によって位置決めされ、さらに平坦面８５に弾性壁８６が密着して回動が規制された状態で位置保持されている。従って、切換具６７が外部の振動や衝撃を受けて切換るのを確実に防止できる。また、軸部７７が弾性壁８６を弾性変形させながら乗越えたのち、平坦面８５に弾性壁８６が密着するときのクリック感を確認することで、切換具６７が確実に切換えられたことを明確に判定できるので、切換具６７が不完全な切換え状態のままで放置されるのを解消できる。
【００２８】
窓２の窓枠２ａに、パッキン９に密着するシール壁８ａと、枠ガイド溝９９を区画するリブ壁８ｂを備えた袖壁８を設け、袖壁８およびリブ壁８ｂに形成した装着部３６に、主ケース２７の取付けフランジ３１を除くケース構造を嵌込み装着するようにした。また、主ケース２７の周囲を窓枠２ａに固定した保護カバー４７で覆うようにした。さらに、開量調整装置４および錠構造５とスライダー２９を連結するスライド枠９７を、枠ガイド溝９９で往復スライド自在に案内支持した。こうした開閉装置によれば、窓２を換気可能位置と換気開放位置の間で開閉するとき、操作構造６やスライド枠９７などが袖壁８の外面に露出するのを防止できるので、操作構造６の外観上の印象をシンプルなものにすることができる。また、袖壁８の枠ガイド溝９９でスライド枠９７を往復スライド自在に案内支持するので、別途スライド枠９７用のガイド構造を設ける必要がないので、開閉装置の全体構造を簡素化できる利点もある。
【００２９】
牽制アーム１０に設けたピン溝１６と、固定金具１９に設けた錠止溝２４を屋内側へ向かって傾斜させるようにした。こうした操作構造６によれば、切換レバー２８が第２位置から第１位置へ切換え操作される状態において、窓２をパッキン９の弾性力に抗して開口枠１側へ引寄せ操作できるので、閉じロック状態において窓２をパッキン９に密着させて確実にシール機能を発揮できる。また、切換レバー２８を揺動反転操作して第２位置から第１位置へ切換え操作するが、その反転揺動ストロークの終端寄りにおいて切換レバー２８をパッキン９の弾性力に抗して押込み操作すればよいので、閉じロック状態への切換え操作を楽にしかも確実に行える。
【００３０】
開口枠１の屋外側に、ベース枠１０３と、非常開放レバー１０４と、スライド枠１０５と、連動リンク１０６と、強制開放ロッド１０７を備えた非常開放構造７を設けるようにした。また、開口枠１の側に配置した固定金具１９と、牽制アーム１０を支持するブラケット１０８を、それぞれ強制開放ロッド１０７に固定した。非常開放構造７は、非常開放レバー１０４が待機位置から強制開放位置へ揺動操作されるとき、固定金具１９を可動金具２０から分離させ、同時に、ブラケット１０８および牽制アーム１０を連結ピン１１から分離させて、窓２を屋外側から全開放操作できる。このように、非常開放構造７を備えた開閉装置によれば、火災や震災などの緊急時には、窓２に達した消防関係者あるいはレスキュー関係者が非常開放レバー１０４を強制開放位置へ揺動操作することで、窓２を屋外側から全開放操作して消火活動や救助活動を速やかに行える。また、窓枠２ａ側に設けた固定金具１９およびブラケット１０８を、操作構造６とは別系統の非常開放構造７で独立操作するので、非常開放構造７が操作構造６と連動するように構成してある場合に比べて、非常開放構造７の構造を簡素化して、非常開放構造７を備えた開閉装置の全体コストを削減できる。
【図面の簡単な説明】
【００３１】
【図１】本発明に係る窓用の開閉装置における操作構造を示す縦断正面図である。
【図２】窓用の開閉装置の適用例を示す正面図である。
【図３】全開放可能状態における開閉装置の縦断正面図である。
【図４】全開放可能状態における開量調整装置の側面図である。
【図５】換気可能状態における開量調整装置の側面図である。
【図６】換気開放位置における開量調整装置を示す平面図である。
【図７】図３におけるＡ−Ａ線断面図である。
【図８】図３におけるＢ−Ｂ線断面図である。
【図９】開閉装置の操作構造を示す分解正面図である。
【図１０】閉じロック状態における操作構造を示す一部破断正面図である。
【図１１】換気可能状態における操作構造を示す一部破断正面図である。
【図１２】全開放可能状態における操作構造を示す一部破断正面図である。
【図１３】図１０におけるＣ−Ｃ線断面図である。
【図１４】図１１におけるＤ−Ｄ線断面図である。
【図１５】図１１におけるＥ−Ｅ線断面図である。
【図１６】閉じロック状態における開閉装置の縦断正面図である。
【図１７】閉じロック状態における開量調整装置の側面図である。
【図１８】換気可能状態における開閉装置の縦断正面図である。
【図１９】開閉装置の操作構造と非常開放構造を示す側面図である。
【図２０】待機状態と強制開放状態における非常開放構造の側面図である。
【図２１】操作構造の別の実施例を示す図１と同等の縦断正面図である。
【発明を実施するための形態】
【００３２】
（実施例）  図１ないし図２０は、本発明に係る窓用の開閉装置を、カーテンウォールを構成する窓に適用した実施例を示す。図２において、符号１はアルミニウム製の開口枠、２は窓であり、窓２は開口枠１に固定したヒンジ３で揺動開閉可能に支持してある。窓２の揺動先端側の窓枠２ａと開口枠１の間には、窓２を換気開放位置に位置保持する開量調整装置４と、閉じ位置において窓２を開放不能に錠止する錠構造５と、開量調整装置４および錠構造５を切換え操作する操作構造６が設けてある。また、開口枠１の屋外面には、開量調整装置４および錠構造５を閉じロック状態から全開放可能状態に切換える非常開放構造７（図１９参照）が設けてある。開量調整装置４および錠構造５は、操作構造６で切換え操作されて、閉じロック状態（図１６、図１７に示す状態）と、換気可能状態（図５、図１８に示す状態）と、全開放可能状態（図４に示す状態）に切換わる。その詳細は後述する。窓枠２ａの屋内面には、窓２を閉じた状態において開口枠１で受止められる袖壁８が突設してあり、この袖壁８に操作構造６が組み込んである。袖壁８は、窓２を閉じた状態において開口枠１に装着したパッキン９に密着するシール壁８ａと、後述する枠ガイド溝９９を区画するリブ壁８ｂを一体に備えている。
【００３３】
（開量調整装置）
図３および図４において開量調整装置４は、開口枠１側に配置される牽制アーム１０と、窓枠２ａ側に配置される連結ピン１１と、ブラケット１０８に固定されて牽制アーム１０を屋内外へ揺動可能に支持するアームピン１２と、牽制アーム１０を屋内へ向かって揺動付勢するアームばね１３などで構成してある。牽制アーム１０の上下中途部には、連結ピン１１を受け入れる凹部１４が折曲げ形成してあり、この凹部１４より下側のアーム壁に連結ピン１１を係合案内する牽制溝１５が形成してある。また、牽制溝１５の出入り口の近傍にはピン溝１６が分岐形成してある。図４に示すように、牽制溝１５は、逆Ｊ字状の主溝１５ａと、主溝１５ａの上端に連続する出入口溝１５ｂを備えており、出入口溝１５ｂの下方にピン溝１６が形成してある。
【００３４】
図３、図４に示すように、窓２を閉じた状態では、連結ピン１１が凹部１４内に位置しており、この状態の連結ピン１１を操作構造６で下降操作することにより、連結ピン１１が牽制溝１５の出入口溝１５ｂと係合して（図５、図８参照）換気可能状態となる。この状態で窓２を開放操作すると、連結ピン１１は主溝１５ａ側へ入り込んで、同溝１５ａと相対移動しながら、牽制アーム１０を屋外側へ同行揺動操作し、換気開放位置において牽制アーム１０が窓２を開放移動不能に位置保持する。このように窓２が換気開放位置に開放された状態を図６に示している。この状態の牽制アーム１０は、アームばね１３を圧縮変形させて僅かに傾動している。窓２を換気開放位置から閉じ操作すると、牽制アーム１０は連結ピン１１に同行して屋内側へ揺動し、窓２を閉じた状態では連結ピン１１が出入口溝１５ｂと係合して図５に示す状態に戻る。閉じロック状態において、窓２をパッキン９の弾性力に抗して開口枠１側へ引寄せ操作するために、ピン溝１６は屋内側へ向かって下り傾斜させてある。
【００３５】
（錠構造）
図３ないし図５、および図７において錠構造５は、開口枠１の上下に配置される固定金具１９と、窓枠２ａ側に配置されて固定金具１９に係脱する係合ピン（可動金具）２０を備えている。固定金具１９は、ステンレス板材を階段状に折曲げて形成してあり、連結座２１と係合壁２２を一体に備えている（図７参照）。係合壁２２には、係合ピン２０の出入りを許す縦に長い長方形状の受入開口２３が形成され、その下端隅部に錠止溝２４が形成してある。なお、図４および図５では上側の錠構造５のみを示しているが、下側の錠構造５も同様に構成してある。閉じロック状態において、窓２をパッキン９の弾性力に抗して開口枠１側へ引寄せ操作するために、錠止溝２４はピン溝１６と同様に屋内側へ向かって下り傾斜させてある。
【００３６】
図３に示すように、窓２を閉じた状態では、係合ピン２０が受入開口２３内に位置しており、この状態の係合ピン２０を操作構造６で下降操作することにより、係合ピン２０が錠止溝２４と係合して、窓２を開放不能にロックする（図１６参照）。この状態が閉じロック状態である。閉じロック状態から係合ピン２０を操作構造６で上昇操作すると、係合ピン２０が錠止溝２４から分離して受入開口２３内へ戻るので、窓２を開放揺動することができる。係合ピン２０を錠止溝２４に係合させるとき、窓２を開口枠１に設けたパッキン９の弾性に抗して開口枠１側へ引寄せ操作するために、錠止溝２４は屋内側へ向かって下り傾斜させてある。係合ピン２０を錠止溝２４に係合するとき、開量調整装置４の連結ピン１１が下降移動してピン溝１６と係合して、窓２の上下３個所を開口枠１側へ引寄せ操作することができる。また、切換レバー２８の反転揺動ストロークの終端寄りにおいて、切換レバー２８をパッキン９の弾性力に抗して押込み操作することで、閉じロック状態への切換え操作を楽にしかも確実に行える。なお、錠構造５は窓２の縦サイズの違いに応じて１〜３個を設けることができる。なお、窓２の上下サイズが大きい場合には、係合ピン２０および錠止溝２４は４個所以上に設けるので、４個所以上の錠止溝２４において係合ピン２０を引寄せ操作して、窓２をパッキン９に密着することができる。
【００３７】
（操作構造）
図２および図９において操作構造６は、窓枠２ａに装着される縦長の主ケース２７と、主ケース２７で反転揺動自在に支持される切換レバー２８と、切換レバー２８で往復スライド操作されるスライダー２９と、主ケース２７の上部内面に組まれるセーフティ構造３０などで構成してある。主ケース２７は、窓枠２ａに締結される取付けフランジ３１と、取付けフランジ３１の上下に凹み形成される一対のレバー収容部３２・３３と、両レバー収容部３２・３３の間に設けられる軸支部３４を一体に備えるダイキャスト成形品からなり、その上下両端がビス３５で窓枠２ａに固定してある（図１０参照）。
【００３８】
図１３に示すように操作構造６は、窓枠２ａの袖壁８およびリブ壁８ｂを切除して形成した装着部３６に、主ケース２７の取付けフランジ３１を除くケース構造が嵌込み装着されて、取付けフランジ３１がビス３５で袖壁８に固定してある。図１３において符号４７は主ケース２７およびスライダー２９の周囲を覆う保護カバーであり、保護カバー４７はビス４８で窓枠２ａおよびシール壁８ａに固定してある。上記のように、装着部３６に主ケース２７の取付けフランジ３１を除くケース構造を嵌込み装着し、主ケース２７の周囲を窓枠２ａに固定した保護カバー４７で覆うと、窓２を換気可能位置と換気開放位置の間で開閉するとき、操作構造６やスライド枠９７などが袖壁８の外面に露出するのを防止して、操作構造６の外観上の印象をシンプルなものにすることができる。
【００３９】
切換レバー２８は、レバー断面が揺動基端から揺動先端へ向かって先すぼまり状に形成してあるダイキャスト成形品からなり、揺動先端寄りのレバー表面に切換レバー２８をスライド操作するための指掛片３８が一体に設けてある。切換レバー２８は、主ケース２７の軸支部３４に設けた揺動軸３９で上下に反転操作できるように軸支してある。詳しくは、レバー全体が上側のレバー収容部３２に収容される第１位置（図１０に示す状態）と、レバー全体が下側のレバー収容部３３に収容される第２位置の間で反転操作できるように、切換レバー２８を揺動軸３９で軸支している。図１１に示すように、切換レバー２８が第２位置に切換えられた状態においては、指掛片３８が主ケース２７の外に突出している。切換レバー２８の揺動基端側のレバー端には、揺動軸３９とは別にスライド軸４０が固定してある。切換レバー２８が第１位置にある状態では、開量調整装置４および錠構造５は閉じロック状態に切換っている。レバー収容部３２・３３には、第１位置および第２位置に切換った切換レバー２８を受止める座壁２６ａ・２６ｂが膨出形成してある。
【００４０】
スライダー２９は断面がコ字状の上下に長いステンレス製の枠体からなり、その前後壁の上下に縦長のスライド溝４１が形成され、下側のスライド溝４１の上側に水平の受動溝４２が形成してある。また、前後壁を繋ぐ橋絡壁には縦長のスライド溝４３が形成され、同溝４３の上下に連動ピン４４が固定され、橋絡壁の上端の内面に後述する可動軸体６５が固定してある。上記のスライド溝４１・４３を、主ケース２７に固定した２個のガイドピン４５と、橋絡壁と対向する主ケース２７の底壁に固定したガイドボス４６で案内することにより、スライダー２９が主ケース２７で上下スライド自在に案内支持されている。スライダー２９を主ケース２７に組み付けた状態においては、受動溝４２がスライド軸４０と係合している（図１３参照）。従って、切換レバー２８を第１位置と第２位置の間で反転操作することにより、スライダー２９を上下にスライド移動できる。このように、受動溝４２とスライド軸４０は、スライド軸４０の回動動作を吸収しながら、切換レバー２８の反転揺動動作を往復スライド動作に変換する。
【００４１】
第２位置に切換えられた切換レバー２８は、主ケース２７でスライド案内されて、第２位置から第３位置へ向かってスライド操作できる。そのために、主ケース２７の軸支部３４に、揺動軸３９とスライド軸４０をスライド案内するガイド溝４９が形成してある。また、ガイド溝４９の中途部にスライド軸４０を揺動案内する円弧溝５０が分岐形成してある。ガイド溝４９は、その下端から上端へ向かって上り傾斜する状態で直線溝状に形成してあり、円弧溝５０は半円溝状に形成してある。切換レバー２８が第１位置に操作された状態においては、図１０に示すように揺動軸３９がガイド溝４９の下端（一端）に位置し、スライド軸４０が円弧溝５０の下側の溝端で受止められている。切換レバー２８が第１位置と第２位置のいずれか一方に切換えられた状態においては、切換レバー２８を収容していない側のレバー収容部３２、またはレバー収容部３３が、窓２を開閉操作する操作凹部として機能する。
【００４２】
切換レバー２８が第２位置に操作された状態においては、図１１に示すように揺動軸３９がガイド溝４９の下端（一端）に位置し、スライド軸４０がガイド溝４９の中途部に位置して円弧溝５０の分岐口に臨んでいる。切換レバー２８が第１位置から第２位置に反転操作されるとき、スライド軸４０はガイド溝４９を中心にして反時計回転方向へ回動し、受動溝４２を介してスライダー２９を押上げ操作する。このときの押上げストロークを図１１にＳ１で示している。切換レバー２８が第２位置に切換え操作された状態では、開量調整装置４および錠構造５は、換気可能状態に切換わる。上記のように、切換レバー２８を第１位置と第２位置に切換えた状態においては、切換レバー２８の表面がレバー収容部３２・３３の開口面と面一になっている。
【００４３】
切換レバー２８が第２位置に切換え操作された状態において、指掛片３８に指先をあてがって切換レバー２８を押込み操作すると、揺動軸３９およびスライド軸４０がガイド溝４９に沿ってスライド移動して第３位置に切換る。この状態では図１２に示すように、スライド軸４０がガイド溝４９の上端（他端）で受止められる。切換レバー２８が第２位置から第３位置までスライド操作されることにより、スライダー２９は図１２に示すストロークＳ２だけ上方スライドする。切換レバー２８が第３位置に切換え操作された状態では、開量調整装置４および錠構造５は、全開放可能状態に切換わる。切換レバー２８が第３位置にスライド操作された状態においては、切換レバー２８の表面が下側のレバー収容部３３内に沈込んでいる（図１（ｃ）参照）。
【００４４】
上記のように、揺動軸３９およびスライド軸４０は、ガイド溝４９でスライド移動可能に支持してある。そのため、第１位置および第２位置において、両軸３９・４０がガイド溝４９に沿って移動するおそれがある。こうした揺動軸３９およびスライド軸４０の自由なスライド移動を規制するために、軸支部３４に揺動軸３９をスライド移動不能に位置保持する軸保持レバー５１を設け、同レバー５１を規制ばね５２で揺動付勢している。図１０において、軸保持レバー５１は、軸支部３４に固定されるレバーピン５３で揺動可能に支持されており、その揺動先端に揺動軸３９の周面を受止める軸保持部５４が斜めに形成してある。また、軸保持レバー５１の一側縁の揺動基端から揺動先端にわたって受壁５５が折曲げてある。規制ばね５２は捩じりコイルばねからなり、ばね腕の一方が取付けフランジ３１で受止められ、ばね腕の他方が受壁５５で受止められて、図１０において軸保持レバー５１を反時計回転方向へ揺動付勢している。
【００４５】
軸保持レバー５１は、ガイド溝４９の下端（一端）に位置する揺動軸３９を軸保持部５４で受止めるスライド阻止姿勢（図１０に示す状態）と、軸保持部５４がガイド溝４９の外に退避するスライド許可姿勢（図１１に示す状態）の間で揺動変位でき、規制ばね５２でスライド阻止姿勢に向かって付勢してある。軸保持レバー５１は、切換レバー２８が第１位置から第２位置に反転操作されるとき、スライド軸４０が円弧溝５０からガイド溝４９内へ移行する動作を利用して、スライド許可姿勢に切換操作される。このとき、スライド軸４０は受壁５５に接当して、軸保持レバー５１を規制ばね５２の付勢力に抗して時計回転方向へ揺動操作する。
【００４６】
（第１クリック機構）
第１位置と、第２位置と、第３位置の各位置において、切換レバー２８を位置保持するために、主ケース２７の軸支部３４と切換レバー２８の対向面間に第１クリック機構５７を設けている。図１３に示すように第１クリック機構５７は、切換レバー２８に設けられる３個のクリック凹部５８〜６０と、軸支部３４に設けられてクリック凹部５８〜６０のひとつに係脱する鋼ボール（係合体）６１と、鋼ボール６１をクリック凹部５８〜６０に向かって係合付勢するクリックばね６２で構成してある。切換レバー２８が第１位置にあるとき鋼ボール６１はクリック凹部５８と係合しており、同レバー２８が第２位置にあるとき、鋼ボール６１はクリック凹部５９と係合しており、レバー２８が第３位置にあるとき、鋼ボール６１はクリック凹部６０と係合する。各クリック凹部５８〜６０の形成位置を図９に示している。
【００４７】
上記のように、軸支部３４と切換レバー２８の間に第１クリック機構５７を設ける操作構造６によれば、切換レバー２８を第１位置と第２位置と第３位置において揺動不能、およびスライド不能に位置保持できるので、切換レバー２８が外部の振動や衝撃を受けて切換るのを確実に防止できる。また、係合体６１が各クリック凹部５８・５９・６０に落ち込み係合するときのクリック感を確認することで、切換レバー２８が確実に切換えられたことを明確に判定できるので、切換レバー２８が不完全な切換え状態のままで放置されるのを解消できる。
【００４８】
（セーフティ構造）
先に説明したように、切換レバー２８が第２位置に切換え操作された状態では、開量調整装置４および錠構造５は換気可能状態に切換わる。しかし、換気可能状態のままで、切換レバー２８が誤って押込み操作されると、開量調整装置４および錠構造５が全開放可能状態に切換わって、窓２がいきなり全開放されるおそれがあり、安全性を確保するうえで問題がある。こうした、安全上の問題を解消するために、主ケース２７の取付けフランジ３１とスライダー２９の対向面の間にセーフティ構造３０を設けている。
【００４９】
図９、図１０、図１４において、セーフティ構造３０は、スライダー２９と同行移動する可動軸体６５と、取付けフランジ３１の内面に固定した第２ケース６６で回動変位可能に支持される切換具６７と、切換具６７を主ケース２７の外から切換え操作する操作ノブ（操作具）６８と、第２ケース６６に固定されるガイド枠６９を備えている。可動軸体６５は扁平な丸軸からなり、その側端がスライダー２９の橋絡壁にかしめ固定してある。第２ケース６６は縦長四角形状のプラスチック成型品からなり、その内部の上下中央に軸受ボス７０が形成され、ケース内部の上下に締結ボス７１と下ストッパー７２が形成してある。図１０に示すように、第２ケース６６を主ケース２７の上側のレバー収容部３２の上部外側に組付け、第２ケース６６と主ケース２７をガイドピン４５で固定し、さらに主ケース２７のねじボス７３にねじ込んだビス７４で締結ボス７１を締結することにより、第２ケース６６が主ケース２７と一体化される。
【００５０】
切換具６７は、先の軸受ボス７０で回動可能に支持される有底丸筒状の軸部７７と、軸部７７の底壁周縁から軸心方向へ突設される上ストッパー（ストッパー）７８と、軸部７７の底壁の対向位置において径方向へ突設される位置決め片７９（図１４参照）を一体に備えたダイキャスト成形品からなる。軸部７７には断面が小判形の連結穴８０が形成してある。切換具６７を軸受ボス７０に装着した状態において、切換具６７の筒壁内面と正対する取付けフランジ３１の壁面には、操作ノブ６８を軸部７７内へ差込むための小判型の操作穴８１が開口してある。切換具６７を操作ノブ６８で回動操作することにより、切換具６７はその上ストッパー７８が可動軸体６５の上方スライド移動を阻止する安全確保姿勢（図１１に示す状態）と、上ストッパー７８が可動軸体６５のスライド軌跡の外へ退避する安全解除姿勢（図１２に示す状態）に切換えることができる。第２ケース６６には、各姿勢において位置決め片７９を受け止める４個の段部８２が形成してある。
【００５１】
上記のように、セーフティ構造３０を備えた操作構造６によれば、第２位置において、切換具６７が操作具６８で安全解除姿勢に切換えられた状態において、切換レバー２８を第２位置から第３位置にスライド操作して窓２を全開放できる。従って、窓２が誤っていきなり全開放されるのを確実に防止して開閉装置の安全性を向上できる。なお、切換具６７は、切換レバー２８が第１位置に切換った状態においても、安全解除姿勢に切換えることができる。
【００５２】
安全確保姿勢と安全解除姿勢において切換具６７を位置保持するために、軸受ボス７０と軸部７７の間に第２クリック機構を設けている。図１５に示すように、第２クリック機構は、軸部７７の対向面の４個所に形成した平坦面８５と、軸受ボス７０の対向面に形成されて、平坦面８５を位置保持する上下一対の弾性壁８６で構成してあり、軸部７７の円弧周面が弾性壁８６を弾性変形させながら乗越えることで、切換具６７を各姿勢において位置保持できる。切換レバー２８は、切換具６７が操作ノブ６８で安全解除姿勢に切換えられた状態においてのみ、第２位置から第３位置にスライド操作して窓２を全開放できる。
【００５３】
操作ノブ６８は、プラスチック成型品からなるノブ本体８７に、ステンレス製の操作軸８８をインサート固定して形成してある。操作軸８８は先の操作穴８１と同様に断面が小判形に形成してあり、その基端に操作穴８１の穴幅より小径の首軸８９が形成してある。ノブ本体８７の表面には、操作ノブ６８の切換え位置を表示する指標９０（図１２参照）が形成してあり、この指標９０を視認することにより、操作ノブ６８が安全解除姿勢に切換えられた状態であることを明確に知ることができる。この状態の操作軸８８は操作穴８１と直交しているので、操作穴８１から抜出すことはできない。以上のように操作ノブ６８は、窓２を全開放操作する場合に限って使用するので、通常は、切換具６７を安全確保姿勢に切換えた状態で操作ノブ６８を操作穴８１から抜外して、建物の管理者が所定の場所に保管しておく。
【００５４】
ガイド枠６９は、断面がコ字状に折り曲げられたステンレス製の枠体からなり、その橋絡壁の上下３個所に、第１位置〜第３位置において可動軸体６５を係合保持する浅い受座９３が凹み形成してある。ガイド枠６９は第２ケース６６に外嵌装着されてガイドピン４５で固定してあり、さらにガイド枠６９の前後壁が第２ケース６６にねじ込んだビス９４で固定してある。橋絡壁の前後中央には、可動軸体６５のスライド移動を許す縦長のスライド溝９５が、各受座９３を分断する状態で形成してある。
【００５５】
上記のように、第２クリック機構を備えたセーフティ構造３０によれば、安全確保姿勢、または安全解除姿勢に切換えられた切換具６７を位置決め片７９で回動規制した状態で位置保持できるので、切換具６７が外部の振動や衝撃を受けて切換るのを確実に防止できる。また、軸部７７が弾性壁８６を弾性変形させながら乗越えて、平坦面８５に密着するときのクリック感を確認することで、切換具６７が確実に切換えられたことを明確に判定できるので、切換具６７が不完全な切換え状態のままで放置されるのを解消できる。
【００５６】
開量調整装置４および錠構造５と操作構造６は、連動枠９６と、連動枠９６の上下に連結されるスライド枠９７を介して連動可能に連結してある。詳しくは図９に示すように、連動枠９６に通設した連結穴９８を連動ピン４４に係合し、さらに、図３に示すように、連動枠９６の上下両端にスライド枠９７を締結固定して、連動枠９６とスライド枠９７をスライダー２９と同行移動できるようにしている。図７および図８に示すように、スライド枠９７は厚みが小さな断面ハット形のアルミニウム条材からなり、その前後壁が枠ガイド溝９９でスライド自在に案内支持してある。上側のスライド枠９７の上下２個所には、開量調整装置４の連結ピン１１、および錠構造５の係合ピン２０を固定するための座板１００が固定してある。また、下側のスライド枠９７の下端寄りには、錠構造５の係合ピン２０を固定するための座板１００が固定してある。上記のように、スライド枠９７を枠ガイド溝９９で案内支持する開閉装置によれば、別途スライド枠９７用のガイド構造を設ける必要がないので、開閉装置の全体構造を簡素化できる。
【００５７】
（非常開放構造）
図１９および図２０に非常開放構造７を示している。非常開放構造７は、開口枠１の屋外面に固定されるベース枠１０３と、ベース枠１０３で揺動可能に軸支されるヘラ状の非常開放レバー１０４と、ベース枠１０３で上下スライド（往復スライド）可能に案内支持されるスライド枠１０５と、非常開放レバー１０４とスライド枠１０５を連動可能に連結する連動リンク１０６と、スライド枠１０５に固定される強制開放ロッド１０７を備えている。強制開放枠１０７の上部には、錠構造５を構成する固定金具１９の連結座２１が固定され、固定金具１９の下側に開量調整装置４のアームピン１２を支持するブラケット１０８が固定してある。また、強制開放枠１０７の下部には、錠構造５を構成する固定金具１９の連結座２１が固定してある。ベース枠１０３、非常開放レバー１０４、スライド枠１０５、連動リンク１０６、およびブラケット１０８は、それぞれステンレス板材で形成してある。強制開放ロッド１０７はアルミニウム条材からなり、図７および図８に示すように、開口枠１に設けた縦溝１０９で上下スライド自在に案内支持してある。
【００５８】
ベース枠１０３は、開口枠１に締結固定される上下一対の締結座１１０と、締結座１１０の側端どうしを繋ぐガイド枠部１１１を一体に備えた門形のプレス金具からなり、ガイド枠部１１１の下端に固定した支軸１１２で、非常開放レバー１０４の下端基部を揺動可能に軸支している。スライド枠１０５には上下一対のスライドピン１１３が固定してあり、これらのスライドピン１１３をガイド枠部１１１に形成した縦長のガイド溝１１４で案内支持することにより、スライド枠１０５はガイド枠部１１１に沿って上下スライドできる。連動リンク１０６の一端は下側のスライドピン１１３に連結され、同リンク１０６の他端はリンクピン１１５で非常開放レバー１０４に連結してある。
【００５９】
非常開放レバー１０４は、上向きに延びるグリップ１１８を備えており、このグリップ１１８を待機位置（図２０（ａ）の状態）と、強制開放位置（図２０（ｂ）の状態）の間で揺動操作できる。図２０（ａ）は、非常開放レバー１０４が待機位置にあり、開量調整装置４および錠構造５が操作構造６で切換え操作されて、閉じロック状態になっている状態を示している。非常開放レバー１０４を、待機位置から強制開放位置まで揺動操作すると、スライド枠１０５が下降スライドし、同時に強制開放ロッド１０７がスライド枠１０５に同行して下降スライドする。そのため、牽制アーム１０と上下の固定金具１９が下降移動し、連結ピン１１がピン溝１６から離脱し、係合ピン２０が錠止溝２４から離脱する。この状態の窓２は、開量調整装置４および錠構造５による拘束から開放された状態になっているので、屋外側から窓２を開放操作することができる。
【００６０】
上記のように、非常開放構造７を備えた開閉装置によれば、火災や震災などの緊急時には、窓２に達した消防関係者あるいはレスキュー関係者が非常開放レバー１０４を強制開放位置へ揺動操作することで、窓２を屋外側から全開放操作して消火活動や救助活動を速やかに行える。また、窓枠２ａ側に設けた固定金具１９およびブラケット１０８を、操作構造６とは別系統の非常開放構造７で独立操作するので、非常開放構造７が操作構造６と連動するように構成してある場合に比べて、非常開放構造７の構造を簡素化して、非常開放構造７を備えた開閉装置の全体コストを削減できる。
【００６１】
（開閉装置の主な作用効果）
上記の窓用の開閉装置では、窓２を換気開放位置に位置保持する開量調整装置４と、閉じ操作された窓２を開放不能に錠止する錠構造５の両者を操作構造６で切換え操作できるようにした。操作構造６は、主ケース２７と、主ケース２７に収容され、該ケース２７で反転揺動自在に支持され、さらにスライド自在に支持される切換レバー２８と、切換レバー２８で往復スライド操作されるスライダー２９を備えるようにした。こうした開閉装置によれば、切換レバー２８を第１位置と第２位置の間で反転操作することで、開量調整装置４および錠構造５を閉じロック状態と、換気可能状態に切換えることができる。また、切換レバー２８を第２位置と第３位置の間でスライド操作することにより、開量調整装置４および錠構造５を換気可能状態と、全開放可能状態に切換えることができる。
【００６２】
上記のように反転揺動操作され、あるいは往復スライド操作される切換レバー２８を操作源とする操作構造６によれば、各切換え位置における切換レバー２８が室内側に突出することはない。従って、被服の一部が切換レバー２８に引っ掛かることを解消でき、さらに室内の雰囲気が切換レバー２８によって損なわれることも解消して、スリムで意匠性に優れた窓用の開閉装置を提供できる。とくに、カーテンウォール構造の建物においては、窓２の周辺構造が単純化されていて、飾り気や無駄のないシンプルな印象を醸しているが、こうした印象にマッチした窓用の開閉装置を提供できる。また、切換レバー２８を反転揺動操作するときの揺動端が第１位置と第２位置となり、さらに切換レバー２８をスライド操作するときのスライド端が第２位置と第３位置となるので、切換レバー２８が間違って切換え操作される余地がなく、操作構造６の使い勝手を向上できる利点もある。
【００６３】
切換レバー２８の揺動基端に揺動軸３９とスライド軸４０を設け、これらの軸３９・４０を軸支部３４に設けたガイド溝４９に沿って往復スライドできるようにした。さらに、ガイド溝４９の中途部に分岐形成した円弧溝５０でスライド軸４０を揺動案内できるようにした。こうした操作構造によれば、切換レバー２８が揺動軸３９の周りに反転操作されるとき、スライド軸４０を円弧溝５０で移行案内しながら確動的に往復揺動させて、第１位置と第２位置に切換えることができる。また、揺動軸３９とスライド軸４０をガイド溝４９に沿って往復スライドさせて、第２位置と第３位置に切換えることができる。従って、回動操作されるＬ字状の操作ハンドルを操作源とする従来装置に比べて、開量調整装置４および錠構造５を切換レバー２８で速やかに、しかもワンタッチ動作で簡単に切換えることができる。
【００６４】
また、第１位置における切換レバー２８は、揺動軸３９がガイド溝４９の一端に位置し、スライド軸４０が円弧溝５０の溝端で受止められているので、第２位置へ向かって反転操作する向きにしか動かせない。同様に、第２位置における切換レバー２８は、揺動軸３９がガイド溝４９の一端に位置し、スライド軸４０がガイド溝４９の中途部で受け止められているので、第１位置へ向かって反転操作する向きにしか動かせない。さらに、第３位置における切換レバー２８は、揺動軸３９およびスライド軸４０がガイド溝４９内に位置して、スライド軸４０がガイド溝４９の他端で受止められているので、第２位置へ向かって復帰スライドする向きにしか動かせない。従って、切換レバー２８が各切換え位置において誤操作されるのを解消して、操作構造６の使い勝手を向上できる。
【００６５】
スライダー２９の一対の壁にスライド軸４０と係合する受動溝４２を形成し、切換レバー２８の反転揺動動作を、スライド軸４０と受動溝４２で直接的に往復スライド動作に変換するので、従来装置に比べて操作構造６の構造を簡素化して、操作構造６の低コスト化に寄与できる。因みに、Ｌ字状の操作ハンドルを操作源とする従来装置においては、操作ハンドルの回動動作を動作変換機構で上下動作に変換しなければならず、その分だけコストが嵩んでいた。
【００６６】
主ケース２７に一対のレバー収容部３２・３３が凹み形成してあると、切換レバー２８が第１位置と第２位置の間で切換え操作された状態において、いずれか一方のレバー収容部３２・３３の内部に切換レバー２８を収容できる。このように切換レバー２８をいずれか一方のレバー収容部３２・３３に収容した状態では、切換レバー２８を収容していない側のレバー収容部３２・３３が、窓２を開閉操作するための操作凹部として機能するので、換気可能状態における窓２の開閉を適確に行える。
【００６７】
レバー収容部３２・３３の内部に座壁２６ａ・２６ｂが形成してあると、第１位置および第２位置に切換え操作された切換レバー２８を座壁２６ａ・２６ｂで受止めて、切換レバー２８を常に一定の姿勢でレバー収容部３２・３３に収容できる。また、第２位置において、主ケース２７の外に臨む側の切換レバー２８の表面に指掛片３８が突設してあるので、指掛片３８に指先をあてがって切換レバー２８を押引き操作することにより、切換レバー２８を第２位置と第３位置の間で確実にスライド操作できる。
【００６８】
第１位置と第２位置における切換レバー２８の表面は、レバー収容部３２・３３の開口面と面一になるようにした。また、切換レバー２８が第３位置にスライド操作された状態においては、切換レバー２８の表面がレバー収容部３３内に沈込む向きに、ガイド溝４９を傾斜させるようにした。こうした操作構造６によれば、指掛片３８を斜めに押引き操作すればよいので、ガイド溝４９が垂直に形成してある場合に比べて、切換レバー２８を第２位置と第３位置の間で適確にスライド操作することができる。
【００６９】
主ケース２７の軸支部３４に、スライド阻止姿勢と、スライド許可姿勢の間で変位可能に支持される軸保持レバー５１を設け、同レバー５１を規制ばね５２でスライド阻止姿勢に向かって付勢するようにした。こうした操作構造６によれば、切換レバー２８が第１位置と第２位置の間で反転揺動する状態において、揺動軸３９の周面を軸保持部５４で移動不能に受止め保持できるので、切換レバー２８を常に安定した状態で円滑に反転揺動操作できる。また、切換レバー２８が第１位置から第２位置へ切換えられて、スライド軸４０が円弧溝５０からガイド溝４９内へ移行する間に、軸保持レバー５１がスライド軸４０で規制ばね５２の付勢力に抗してスライド許可姿勢に切換操作されるようにした。このように、切換レバー２８の反転揺動動作を利用して、軸保持レバー５１をスライド軸４０で
スライド許可姿勢に切換操作すると、別途軸保持レバー５１を切換え操作するための構造を設ける必要がないので、その分だけ揺動軸３９の周辺構造を簡素化できる。また、ユーザーは、軸保持レバー５１の存在を意識する必要もなく、切換レバー２８を単に反転揺動操作すればよいので、操作構造６の使い勝手を向上できる。
【００７０】
図２１は、操作構造６の一部を変更した別の実施例を示す。そこでは、切換レバー２８の揺動軸３９を断面小判形に形成し、ガイド溝４９の幅を揺動軸３９の円弧周面の直径より小さく設定した。さらに、切換レバー２８が第１位置に切換えられた状態において、断面小判形の揺動軸３９の対向平面がガイド溝４９の溝壁と非平行になるようにした。こうした切換レバー２８によれば、同レバー２８を第１位置に切換えた状態において、揺動軸３９がガイド溝４９に沿って移動するのを規制して、軸保持レバー５１および規制ばね５２とレバーピン５３を省略できる。また、切換レバー２８を第２位置に切換えた状態において、揺動軸３９の対向平面がガイド溝４９の溝壁と平行になって、第３位置へ向かってスライド変位できる。
【００７１】
上記の実施例においては、主ケース２７の上下にレバー収容部３２・３３を凹み形成したがその必要はなく、レバー収容部３２・３３は省略することができる。要は、第１位置と第２位置に切換えられた状態において、切換レバー２８が主ケース２７の外郭線内に位置していれば足りる。また、切換レバー２８の揺動先端にＴ字状、あるいはボール状のハンドルが設けてあってもよい。本発明の開閉装置は、非常開放構造７を省略した状態で使用することができ、片開き窓、縦すべり出し窓、横すべり出し窓、縦軸回転窓、横軸回転窓、ドレーキップ窓、内倒し窓などにも広く適用できる。
【符号の説明】
【００７２】
１  開口枠
２  窓
４  開量調整装置
５  錠構造
７  非常開放構造
１０  牽制アーム
１１  連結ピン
１５  牽制溝
１９  固定金具
２０  係合ピン（可動金具）
２４  錠止溝
２７  主ケース
２８  切換レバー
２９  スライダー
３０  セーフティ構造
３９  揺動軸
４０  スライド軸
４９  ガイド溝
５０  円弧溝
【図１】
2018111974.tif 000003
【図２】
2018111974.tif 000004
【図３】
2018111974.tif 000005
【図４】
2018111974.tif 000006
【図５】
2018111974.tif 000007
【図６】
2018111974.tif 000008
【図７】
2018111974.tif 000009
【図８】
2018111974.tif 000010
【図９】
2018111974.tif 000011
【図１０】
2018111974.tif 000012
【図１１】
2018111974.tif 000013
【図１２】
2018111974.tif 000014
【図１３】
2018111974.tif 000015
【図１４】
2018111974.tif 000016
【図１５】
2018111974.tif 000017
【図１６】
2018111974.tif 000018
【図１７】
2018111974.tif 000019
【図１８】
2018111974.tif 000020
【図１９】
2018111974.tif 000021
【図２０】
2018111974.tif 000022
【図２１】
2018111974.tif 000023